(57)【要約】【課題】本発明は、警報器作動時における特定先への通報をガスメータを用いて短時間に行うことが可能な装置を提供する。【解決手段】警報器１または手動警報器３と、流量計測部Ｎ２と制御部Ｎ１と音声再生機能を有する通信部Ｎ４と弁Ｎ３と電源を有するガス遮断装置２において、警報器１または手動警報器３の検出時の流量、あるいは検出時間と流量により初期設定情報に基づいて特定の電話番号に音声通信を行う機能を有する構成としたものである。【選択図】図１
2008232994.tif 000002
【特許請求の範囲】
【請求項１】
警報器と、流量計測部と制御部と音声再生機能を有する通信部と弁と電源を有するガス遮断装置において、警報器の検出時と流量により初期設定情報に基づいて特定の電話番号に音声通信を行う機能を有するガス遮断装置
【請求項２】
警報器と、流量計測部と制御部とタイマ部と音声再生機能を有する通信部と弁と電源を有するガス遮断装置において、警報器の検出時間と流量により初期設定情報に基づいて特定の電話番号に音声通信を行う機能を有するガス遮断装置
【請求項３】
手動入力が可能な警報器と、流量計測部と制御部と音声再生機能を有する通信部と弁と電源を有するガス遮断装置において、警報器の検出時間と流量により初期設定情報に基づいて特定の電話番号に音声通信を行う機能を有するガス遮断装置。
【請求項４】
手動入力が可能な警報器と、流量計測部と制御部と複数の音声再生機能と複数の電話番号の連絡先を設定できる機能を有する通信部と弁と電源を有するガス遮断装置において、警報器の検出時間と流量により条件に基づき定められた電話番号に音声通信を行う機能を有するガス遮断装置。
【発明の詳細な説明】
【技術分野】
【０００１】
本発明は、ガス遮断装置に関して事象発生時の通報機能に関するものである。
【背景技術】
【０００２】
従来のこの種のガス遮断装置は自動検針機能を持ち、管理センターとデータ通信を行い、定期検針および遮断事象発生時の管理センターへの通報機能を有している。緊急な事態が起こると、図６に示すように管理センターに通報し、管理センターが確認後、必要とあれば警察や消防署などへの通報を行う（例えば、特許文献１参照）。
【特許文献１】特開平１０−２５５４号公報
【発明の開示】
【発明が解決しようとする課題】
【０００３】
しかしながら、火災やＣＯ中毒など一刻を争う通報の場合は、自動検針を主としたシステムでは通報が遅れてしまう可能性がある。特にＣＯ中毒の場合、一定の濃度を超えてからの時間が大きく生死に左右されることもあり、経過時間が大きく影響する。
【課題を解決するための手段】
【０００４】
本発明は上記課題を解決するために、警報器と、流量計測部と制御部と音声再生機能を有する通信部と弁と電源を有するガス遮断装置において、警報器の検出時と流量により初期設定情報に基づいて特定の電話番号に音声通信を行う機能を有する構成としたものである。
【０００５】
上記発明によれば、ガス遮断装置自身に通信部を設け、警報器による一刻の猶予もならない緊急時に直接、警察や消防署に音声通信を行うことが可能となり、早期通報を実現することができる。
【発明の効果】
【０００６】
上記発明によれば、ガス遮断装置から直接音声による通報するため緊急時の対応時間が短縮できる。ガスを使用している各家庭で警報器と連動した簡単な緊急連絡システムが構築できる効果がある。
【発明を実施するための最良の形態】
【０００７】
第１の発明は、警報器と、流量計測部と制御部と音声再生機能を有する通信部と弁と電源を有するガス遮断装置において、警報器の検出時と流量により初期設定情報に基づいて特定の電話番号に音声通信を行う機能を有するガス遮断装置であり、警報器からの信号が入ったときに流量があれば弁を閉めて、同時に通信部により初期設定した電話番号に通報を行うことが可能となる。
【０００８】
第２の発明は、警報器と、流量計測部と制御部とタイマ部と音声再生機能を有する通信部と弁と電源を有するガス遮断装置において、警報器の検出時間と流量により初期設定情報に基づいて特定の電話番号に音声通信を行う機能を有するガス遮断装置であり、タイマ部により時間を計測し、条件を超えた場合に通報することにより誤通報を避ける効果がある。
【０００９】
第３の発明は、手動入力が可能な警報器と、流量計測部と制御部と音声再生機能を有する通信部と弁と電源を有するガス遮断装置において、警報器の検出時間と流量により初期設定情報に基づいて特定の電話番号に音声通信を行う機能を有するガス遮断装置であり、
手動による警報入力があった場合は、ただちに通報することにより、警報時の緊急対応時に、電話がかけられない場合や電話間違いを避けられることができる効果がある。
【００１０】
第４の発明は、手動入力が可能な警報器と、流量計測部と制御部と複数の音声再生機能と複数の電話番号の連絡先を設定できる機能を有する通信部と弁と電源を有するガス遮断装置において、警報器の検出時間と流量により条件に基づき定められた電話番号に音声通信を行う機能を有するガス遮断装置であり、警報の種類によって通報する場所を設定することで、警備会社やガス会社に通報することが可能となり、警報システムとしてさまざまな用途に対応できる。
【００１１】
以下、本発明の実施の形態について図面を用いて説明する。なお、本実施の形態によって本発明が限定されるものではない。
【００１２】
（実施の形態１）
図１は本発明の実施の形態におけるガス遮断装置を用いた通報システムの概念図、図２は同ガス遮断装置のブロック図である。
【００１３】
図２について説明する。警報器１は警報事象が発生すると警報信号を出力する（たとえば、ＣＯ濃度が規定を超えた場合や、熱や煙を検知した場合）。制御部Ｎ１は、警報器１より警報信号を受け取ると、流量計測部Ｎ２より流量計測中の信号を受け取っていれば、弁Ｎ３に弁閉信号を出力する。また、制御部Ｎ１は通信部Ｎ４に通報信号を出力する。通信部Ｎ４は通報信号を受け取るとあらかじめ設定してある電話番号（たとえば１１０）に通信を開始する。通話が始まるとあらかじめ記録している音声を再生する。その後通信を終了する。音声内容としては、音声再生の趣旨、警報の内容、名前、電話番号、住所を再生する。また、音声内容はガス遮断装置の設置時に記録させる。なお、通信は電話線を用いても、携帯電話などの無線回線でもよい。なお、警報器はＣＯ警報器、火災警報器などの警報器である。
【００１４】
図３に本発明の実施例２のガス遮断装置のブロック図である。
【００１５】
図３について説明する。警報器１は警報事象が発生すると警報信号を出力する（たとえば、ＣＯ濃度が規定を超えた場合や、熱や煙を検知した場合）。制御部Ｎ１は、警報器１より警報信号を受け取ると、流量計測部Ｎ２より流量計測中の信号を受け取っていれば、弁Ｎ３に弁閉信号を出力する。また、制御部Ｎ１はタイマ部Ｎ６にタイマスタート信号を出力する。タイマ部Ｎ６は一定時間後にタイマストップ信号を制御部Ｎ１に出す。制御部Ｎ１はタイマストップ信号を受け取ると、警報信号が継続して受け取られていれば通信部Ｎ４に通報信号を出力する。通信部Ｎ４は通報信号を受け取るとあらかじめ設定してある電話番号（たとえば１１０）に通信を開始する。通話が始まると記録している音声を再生する。その後通信を終了する。音声内容としては、音声再生の趣旨、警報の内容、名前、電話番号、住所を再生する。また、音声内容はガス遮断装置の設置時に記録させる。なお、通信は電話線を用いても、携帯電話などの無線回線でもよい。なお、警報器はＣＯ警報器、火災警報器などの警報器である。
【００１６】
図４に本発明の実施例３のガス遮断装置のブロック図である。
【００１７】
図４について説明する。手動警報器３は警報器入力を検知すると警報信号を出力する（たとえば、非常ボタンを押す）。制御部Ｎ１は、手動警報器３より警報信号を受け取ると、流量計測部Ｎ２より流量計測中の信号を受け取っていれば、弁Ｎ３に弁閉信号を出力する。また、制御部Ｎ１はタイマ部Ｎ６にタイマスタート信号を出力する。タイマ部Ｎ６は一定時間後にタイマストップ信号を制御部Ｎ１に出す。制御部Ｎ１はタイマストップ信号
を受け取ると、警報信号が継続して受け取られていれば通信部Ｎ４に通報信号を出力する。通信部Ｎ４は通報信号を受け取るとあらかじめ設定してある電話番号（たとえば１１０）に通信を開始する。通話が始まると記録している音声を再生する。その後通信を終了する。音声内容としては、音声再生の趣旨、警報の内容、名前、電話番号、住所を再生する。また、音声内容はガス遮断装置の設置時に記録させる。なお、通信は電話線を用いても、携帯電話などの無線回線でもよい。なお、警報器はＣＯ警報器、火災警報器などの警報器である。また、手動警報器とは非常ボタンなどボタンやスイッチによる信号入力ができる警報器である。
【００１８】
図５に本発明の実施例４のガス遮断装置のブロック図である。
【００１９】
図５について説明する。警報器１は警報事象が発生すると警報信号を出力する（たとえば、ＣＯ濃度が規定を超えた場合や、熱や煙を検知した場合）。手動警報器３は警報器入力を検知すると警報信号を出力する（たとえば、非常ボタンを押す）。制御部Ｎ１は、警報器１もしくは手動警報器３より警報信号を受け取ると、流量計測部Ｎ２より流量計測中の信号を受け取っていれば、弁Ｎ３に弁閉信号を出力する。また、制御部Ｎ１はタイマ部Ｎ６にタイマスタート信号を出力する。タイマ部Ｎ６は一定時間後にタイマストップ信号を制御部Ｎ１に出す。制御部Ｎ１はタイマストップ信号を受け取ると、警報信号が継続して受け取られていれば通信部Ｎ４に通報信号と警報種信号を出力する。通信部Ｎ４は通報信号と警報種信号を受け取ると警報種毎にあらかじめ設定してある電話番号（たとえば１１０）に通信を開始する。また、通話が始まると警報種毎に記録している音声を再生する。その後通信を終了する。音声内容としては、音声再生の趣旨、警報の内容、名前、電話番号、住所を再生する。また、音声内容はガス遮断装置の設置時に記録させる。なお、通信は電話線を用いても、携帯電話などの無線回線でもよい。
【産業上の利用可能性】
【００２０】
以上のように、本発明にかかるガス遮断装置は、音声再生機能を持った通信部を持たせることにより、緊急時の通報までの時間の時間短縮を実現するためのものであり、他の機器にもガス遮断装置と連携させることにより緊急時に通報する機能をもたせることができる。
【図面の簡単な説明】
【００２１】
【図１】本発明の実施の形態におけるガス遮断装置を用いた通信システム概念図
【図２】本発明の実施の形態１におけるガス遮断装置のブロック図
【図３】本発明の実施の形態２におけるガス遮断装置のブロック図
【図４】本発明の実施の形態３におけるガス遮断装置のブロック図
【図５】本発明の実施の形態４におけるガス遮断装置のブロック図
【図６】従来例のガス遮断装置を用いた通信システム概念図
【符号の説明】
【００２２】
１  警報器
２  ガス遮断装置
３  手動警報器
Ｎ１  制御部
Ｎ２  流量計測部
Ｎ３  弁
Ｎ４  通信部
Ｎ５  電源
Ｎ６  タイマ部
【図１】
2008232994.tif 000003
【図２】
2008232994.tif 000004
【図３】
2008232994.tif 000005
【図４】
2008232994.tif 000006
【図５】
2008232994.tif 000007
【図６】
2008232994.tif 000008